(57)【要約】【課題】吸込具（補助吸込具）を本体から取り出したり、収納したりするときの、使用性を向上させることを目的とする。【解決手段】吸引風を発する電動送風機２、塵埃を吸引する吸込具７を収納する収納部６を有する掃除機本体１を備え、前記収納部６に前記吸込具７を収納するとき、前記吸込具７を長手方向の一端から前記収納部６に挿入するように構成したもので、２種類以上の複数の吸込具を配設することができるとともに、掃除場所に応じて必要な吸込具をすぐに取出すことができる。【選択図】  図１
2004321285.tif 000002
【特許請求の範囲】
【請求項１】
吸引風を発する電動送風機、塵埃を吸引する吸込具を収納する収納部を有する掃除機本体を備え、前記収納部に前記吸込具を収納するとき、前記吸込具を長手方向の一端から前記収納部に挿入するように構成した電気掃除機。
【請求項２】
電動送風機が放出する排気を大気中に排出する排気部を掃除機本体に設け、収納部を前記排気部より下方に形成した請求項１記載の電気掃除機。
【請求項３】
掃除機本体は略両側面に走行手段を備え、吸込具を収納部に収納したとき、前記吸込具の先端が前記走行手段の外郭より内方に位置する請求項１または２記載の電気掃除機。
【請求項４】
掃除機本体は略両側面に走行手段を備え、吸込具を収納部に収納したとき、前記吸込具の先端が前記走行手段の外郭より外方に位置する請求項１または２記載の電気掃除機。
【請求項５】
収納部を形成する壁面の少なくとも一部を、吸込具の外観形状と略同一形状にて形成した請求項１〜４のいずれか１項に記載の電気掃除機。
【請求項６】
収納部の上方を形成する壁面を、上方に向かって傾斜する傾斜面にて形成した請求項１〜５のいずれか１項に記載の電気掃除機。
【発明の詳細な説明】
【０００１】
【発明の属する技術分野】
本発明は、一般家庭で使用される電気掃除機に関するもので、特に使用性に関するものである。
【０００２】
【従来の技術】
従来のこの種の電気掃除機を、図５を用いて説明する。
【０００３】
図５において、１０１は吸引風を発する電動送風機（図示せず）を内蔵する本体であり、両側面に走行手段である移動用の移動用ローラ１０２が配設されている。１０３は前記本体１０１の後方面に配設され、電動送風機（図示せず）が放出する排気を大気中に排出する排気部である格子状の排気口である。１０４は前記本体１０１の後方面に設けられたアタッチメント等の補助吸込具１０５の収納部で、補助吸込具１０５が本体１０１の幅方向に収納されている。
【０００４】
部屋の隅や家具等の掃除のとき、本体１０１の後方面の補助吸込具収納部１０５より補助吸込具１０４を取出し、ホースの先等に付け掃除を行い、終れば補助吸込具１０４を前記収納部１０５に戻す（例えば、特許文献１参照）。
【０００５】
【特許文献１】
特開平１１−１１３８１３号公報
【０００６】
【発明が解決しようとする課題】
しかしながら上記従来の電気掃除機の構成では、補助吸込具１０５が本体１０１の幅方向に収納されているため、本体１０１の幅寸法の関係から補助吸込具１０５を１部品しか収納できず、掃除場所によっては収納されている補助吸込具１０５では、使い勝手が悪かったり十分な掃除ができなかった。また、補助吸込具１０５を２部品以上収納しようとすると、本体１０１の後方面に上下に収納する必要があり、排気部である格子状の排気口１０３の面積が小さくなるという問題があった。
【０００７】
本発明は上記課題を解決するもので、吸込具（補助吸込具）を本体から取り出したり、収納したりするときの、使用性を向上させることを目的とする。
【０００８】
【課題を解決するための手段】
上記課題を解決するために本発明は、吸引風を発する電動送風機、塵埃を吸引する吸込具を収納する収納部を有する掃除機本体を備え、前記収納部に前記吸込具を収納するとき、前記吸込具を長手方向の一端から前記収納部に挿入するように構成したもので、部屋の隅や家具等の掃除を行うとき、吸込具をすぐに取出すことができる。また、前記吸込具を長手方向の一端から前記収納部に挿入するように構成しているため、２種類以上の複数の吸込具を配設することができ、掃除場所に応じて必要な吸込具をすぐに取出すことができる。
【０００９】
【発明の実施の形態】
本発明の請求項１記載の発明は、吸引風を発する電動送風機、塵埃を吸引する吸込具を収納する収納部を有する掃除機本体を備え、前記収納部に前記吸込具を収納するとき、前記吸込具を長手方向の一端から前記収納部に挿入するように構成したもので、部屋の隅や家具等の掃除を行うとき、吸込具をすぐに取出すことができる。また、前記吸込具を長手方向の一端から前記収納部に挿入するように構成しているため、２種類以上の複数の吸込具を配設することができ、掃除場所に応じて必要な吸込具をすぐに取出すことができる。
【００１０】
本発明の請求項２記載の発明は、電動送風機が放出する排気を大気中に排出する排気部を掃除機本体に設け、収納部を前記排気部より下方に形成したもので、電動送風機から排気部に至る本体内排気通路と収納部が分離されるため、本体の構成が簡略になる。また、排気部が被掃除面よりも距離的に遠くなるので、排気風により、被掃除面上の塵埃を吹き飛ばすのも防止できる。
【００１１】
本発明の請求項３記載の発明は、掃除機本体は略両側面に走行手段を備え、吸込具を収納部に収納したとき、前記吸込具の先端が前記走行手段の外郭より内方に位置するもので、吸込具を収納部に収納した後、掃除機本体の後方面を被掃除面に接地させて前記掃除機本体を収納するとき、前記走行手段を回転軸として掃除機本体を容易に回動することができる。
【００１２】
本発明の請求項４記載の発明は、掃除機本体は略両側面に走行手段を備え、吸込具を収納部に収納したとき、前記吸込具の先端が前記走行手段の外郭より外方に位置するもので、吸込具を収納部より取出す時、吸込具が見えやすく、取り出し易い。
【００１３】
本発明の請求項５記載の発明は、収納部を形成する壁面の少なくとも一部を、吸込具の外観形状と略同一形状にて形成したもので、吸込具を使用した後本体に収納するとき、吸込具の形状に合わせて収納すればよく、簡単に収納することができる。
【００１４】
本発明の請求項６記載の発明は、収納部の上方を形成する壁面を、上方に向かって傾斜する傾斜面にて形成したもので、吸込具を取出したり収納するとき、腰を曲げて覗き込まなくても収納位置がわかり、容易に吸込具の取出しや収納ができる。
【００１５】
【実施例】
以下、本発明の実施例について図面を用いて説明する。
【００１６】
（実施例１）
図１は本発明の実施例１の本体の全体構成を示す要部断面図、図２は同掃除機本体の後方面図、図３は図２のＡ−Ａ断面図である。
【００１７】
図１〜図３において、１は塵埃を吸引するための吸引風を発する電動送風機２を内蔵し、吸引した塵埃を捕集する集塵部３、走行手段である移動用ローラ４を備えた掃除機本体（以下、本体と称す）である。前記移動用ローラ４は、前記掃除機本体１の両側面に設けられている。５は前記本体１の後方面に配設され、前記電動送風機２が放出する排気を、大気中に排出する排気部である排気口、６は隙間用吸込具７や家具用吸込具８等の吸込具（補助吸込具）を収納する収納部である。
【００１８】
この収納部６は、前記排気口５の下方に、本体１後方から前方に向かう方向に設けられており、前記隙間用吸込具７、家具用吸込具８の長手方向の軸心（７ａ、８ａ）と本体１の前後方向とがほぼ同一方向になるよう設けられている。また、前記隙間用吸込具７と家具用吸込具８の先端は、本体１の側方からみて、前記移動用ローラ４の外周より内方に位置するように配設されている。
【００１９】
次に動作、作用について説明する。
【００２０】
図１〜図３において、部屋の隅や家具等の掃除を行うとき、床用吸込具（主吸込具）を外し、掃除機本体１の後方面に形成された収納部６に収納されている補助吸込具である隙間用吸込具７や家具用吸込具８を取り出し、ホースの先端に接続することにより効率的な掃除を行うことができる。また、掃除が終れば使用した隙間用吸込具７や家具用吸込具８を、長手方向の一端から本体１の後方面に形成された収納部６に挿入して収納すれば、隙間用吸込具７や家具用吸込具８の保管が容易に行え、紛失等の心配もない。
【００２１】
また、収納部６を形成する壁面の少なくとも一部を、隙間用吸込具７や家具用吸込具８の外観形状と略同一形状にて形成することで、隙間用吸込具７や家具用吸込具８を使用した後、本体１に収納するとき、それぞれの隙間用吸込具７や家具用吸込具８の形状に合わせて収納すればよく、複数の補助吸込具をそれぞれ簡単に収納することができる。
【００２２】
さらに、収納部６の上方を形成する壁面を、上方に向かって傾斜する傾斜面にて形成することで、隙間用吸込具７や家具用吸込具８を取出したり収納するとき、腰を曲げて覗き込まなくても収納位置がわかり、容易に補助吸込具７、８の取出しや収納ができる。
【００２３】
（実施例２）
図４は本発明の実施例２の電気掃除機の全体構成を示す要部断面図である。
【００２４】
なお、実施例１と同一符号のものは同一構造を有し、その説明は省略する。
【００２５】
図４において７、８は本体１の後方面に形成された収納部６に収納されている隙間用吸込具、家具用吸込具等の吸込具（補助吸込具）で、その先端は本体１の側方からみて、前記移動用ローラ４の外周より外方より突出するように配設されている。
【００２６】
次に動作、作用について説明する。
【００２７】
実施例１と同じように部屋の隅や家具等の掃除を行うとき、床用吸込具（主吸込具）を外し、本体１の後方面に形成された収納部６に収納されている隙間用吸込具７や家具用吸込具８を取り出し、ホースの先端に接続することにより効率的な掃除を行うことができる。隙間用吸込具７や家具用吸込具８を取り出す時、隙間用吸込具７や家具用吸込具８の先端が、移動用ローラ４の外周より外方に突出しているため、隙間用吸込具７や家具用吸込具８がよく見え容易に取出すことができる。
【００２８】
【発明の効果】
本発明によれば、吸込具（補助吸込具）を本体から取り出したり、収納したりするときの、使用性を向上させるものである。
【図面の簡単な説明】
【図１】本発明の実施例１における掃除機本体の側断面図
【図２】同掃除機本体の後方図
【図３】図２のＡ−Ａ要部断面図
【図４】本発明の実施例２における掃除機本体の側断面図
【図５】従来の掃除機本体の後方図
【符号の説明】
１  本体
４  移動用ローラ（走行手段）
５  排気口（排気部）
６  収納部
７  隙間用吸込具（補助吸込具）
８  家具用吸込具（補助吸込具）
【図１】
2004321285.tif 000003
【図２】
2004321285.tif 000004
【図３】
2004321285.tif 000005
【図４】
2004321285.tif 000006
【図５】
2004321285.tif 000007